(57)【要約】      （修正有）【課題】スマートフォン等の携帯端末にサービスを発行する際に、サーバシステムを構築する必要がなく、情報漏洩の虞もないサービス発行システムおよびサービス発行方法を提供する。【解決手段】システムは、カメラ部１４とＮＦＣ部１５を有する携帯端末１と、携帯端末１にインストールされており、利用者が選択したＩＣカード３の動作をエミュレートするサービスアプリケーションを携帯端末１にインストールするインストーラと、ＩＣカード３を含む。ＩＣカード３は非接触通信機能を有し、カメラ部１４でＩＣカード３を撮像することでＩＣカード３の外側面に記載された利用者に関する情報３１、３２、３３を取得し、ＮＦＣ部１５の非接触Ｒ／Ｗ機能により、ＩＣカード３から、サービスアプリケーションを活性化するサービスアプリケーションの発行データを取得し、取得した各情報をインストーラに供給してサービスアプリケーションを活性化する。【選択図】図１
2019079293.tif 000002
【特許請求の範囲】
【請求項１】
カメラ部とＮＦＣ部を有する携帯端末と、前記携帯端末にインストールされており、利用者が選択したＩＣカードの動作をエミュレートするサービスアプリケーションを前記携帯端末にインストールするインストーラと、前記ＩＣカードを含み、前記ＩＣカードは非接触通信機能を有し、
前記カメラ部で前記ＩＣカードを撮像することで前記ＩＣカードの外側面に記載された利用者に関する情報を取得し、
前記ＮＦＣ部の非接触Ｒ／Ｗ機能により、前記ＩＣカードから、前記サービスアプリケーションを活性化する前記サービスアプリケーションの発行データを取得し、
取得した前記各情報を前記インストーラに供給して前記サービスアプリケーションを活性化することを特徴とするサービスアプリケーション発行システム。
【請求項２】
カメラ部とＮＦＣ部を有する携帯端末にインストールされたインストーラが、利用者の選択した非接触通信機能を有するＩＣカードの動作をエミュレートするサービスアプリケーションを前記携帯端末にインストールする過程と、
前記携帯端末のカメラ部により、前記ＩＣカードの外側面に記載された利用者に関する情報を撮像し、撮像した画像データを前記携帯端末に保存すると共に前記画像データから利用者に関する情報を取得する過程と、
前記携帯端末のＮＦＣ部の非接触Ｒ／Ｗ機能により、前記ＩＣカードから、前記携帯端末にインストールされた前記サービスアプリケーションを活性化する前記サービスアプリケーションの発行データを取得する過程と、
前記ＩＣカードから取得した前記発行データを、オンライン決済に対応するように修正する過程と、
を含み、
前記インストーラが、前記ＩＣカードから取得した前記各情報を利用して、前記サービスアプリケーションを活性化することを特徴とするサービスアプリケーション発行方法。
【請求項３】
オンライン決済に必要な情報を、前記ＩＣカード以外の媒体を前記携帯端末のカメラ機能により撮像して取得する過程をさらに有することを特徴とする請求項２に記載のサービスアプリケーション発行方法。
【発明の詳細な説明】
【技術分野】
【０００１】
本発明は、スマートフォン、タブレット端末等の携帯端末にサービスアプリケーションを発行するサービスアプリケーション発行システムおよびサービスアプリケーション発行方法に関する。
【背景技術】
【０００２】
近年、スマートフォン等の携帯端末に対してサーバとのデータの送受信を行い、サーバから携帯端末へのコンテンツなどのデータを配信するサービスが行われている。
この携帯端末の利用の発展した形態である、非接触ＩＣカードインターフェースの規格として国際標準化機構（ＩＳＯ）で規定されたＮＦＣ（Ｎｅａｒ  Ｆｉｅｌｄ  Ｃｏｍｍｕｎｉｃａｔｉｏｎ）対応の携帯端末がある。このＮＦＣ対応の携帯端末の普及により、携帯端末を用いた決済手法として、非接触ＩＣ決済サービスを用いたクレジットの利用が増加している（例えば、特許文献１参照）。すなわち、このＮＦＣを用いることにより、クレジットのＩＣカードと同様に、決済サービスのシステムにおけるＲ／Ｗ（Ｒｅａｄｅｒ／Ｗｒｉｔｅｒ）機器とのデータの送受信が携帯端末でも行える。
【０００３】
上述したように、携帯端末を、近距離無線通信機能を有するＩＣカードと同様に決済サービスに適用させる場合、ＩＣカードのエミュレートを行うサービスアプリケーションをインストールする。そして、インストールしたサービスアプリケーションにより、クレジットカードなどのＩＣカードの決済機能を携帯端末に対してエミュレートさせる。
また、今後は、クレジットカードのみではなく、プリペイドカード、ポイントカードあるいは社員証ＩＤカードなどのＩＣカードにおいて、これらのエミュレートするサービスアプリケーションのインストールを、ＮＦＣ対応のスマートフォンなどの携帯端末に対して行うことが予想される。
【０００４】
図３は、従来のサービスアプリケーション配信システムの構成を模式的に示す図である。図３に示すサービスアプリケーション配信システムにおいて、ＩＣカードを携帯端末１０５上においてエミュレートするためのサービスアプリケーションが、携帯端末１０５のＵＩＣＣ（Ｕｎｉｖｅｒｓａｌ  Ｉｎｔｅｇｒａｔｅｄ  Ｃｉｒｃｕｉｔ  Ｃａｒｄ、汎用ＩＣカード）１５１に、記憶部１５２上のＵＩ（Ｕｓｅｒ  Ｉｎｔｅｒｆａｃｅ）アプリケーションによりインストールされる。ＵＩアプリケーションは、ＩＣカードを用いたサービスを実現するために必要なユーザーインターフェースとしてサービス事業者が提供するアプリケーションである。記憶部１５２は、例えば、ＳＤカード（登録商標）などの不揮発性メモリを用いたメモリカードである。このＵＩＣＣ１５１としては、例えばＳＩＭ（Ｓｕｂｓｃｒｉｂｅｒ  Ｉｄｅｎｔｉｔｙ  Ｍｏｄｕｌｅ）カード、ＵＩＭ（Ｕｓｅｒ  Ｉｄｅｎｔｉｔｙ  Ｍｏｄｕｌｅ）カードなどがある。
【０００５】
ＵＩＣＣ１５１は、例えば、内部にＣＰＵ及びメモリを有しており、活性化された後のサービスアプリケーションのＩＣカードのエミュレートを行う。Ａ社サービスセンター１１０＿ＡからＺ社サービスセンター１１０＿Ｚの各々は、ＩＣカードのサービス提供事業者のサービスセンターであり、アクセスコード及びパスワードを、サービスを依頼した利用者に対して郵送あるいは電子メールに送付する。
【０００６】
そして、携帯端末１０５には、サービスアプリケーションをＵＩＣＣ１５１に対してインストールする際、サービスアプリケーションをインストールするＵＩアプリケーションが必要となる。制御部１５３は、ＧｏｏｇｌｅＰｌａｙ（登録商標）などの配信サービス
サーバ１０２から、ＵＩアプリケーションをダウンロードする。そして、制御部１５３は、携帯端末１０５の記憶部１５２に対し、ダウンロードしたＵＩアプリケーションをインストールする。図４は、ＵＩアプリケーションがインストールされた後の動作の概略を示すシーケンス図である。
【０００７】
このサービスアプリケーションの配信は、ＭＮＯ（Ｍｏｂｉｌｅ  Ｎｅｔｗｏｒｋ  Ｏｐｅｒａｔｏｒ）−ＴＳＭ（Ｔｒｕｓｔｅｄ  Ｓｅｒｖｉｃｅ  Ｍａｎａｇｅｒ）サーバ１０３が行う。また、サービスアプリケーションにおける個人データの発行や管理は、ＳＰ（Ｓｅｒｖｉｃｅ  Ｐｒｏｖｉｄｅｒ）−ＴＳＭ（Ｔｒｕｓｔｅｄ  Ｓｅｒｖｉｃｅ  Ｍａｎａｇｅｒ）１０１が行う。
【０００８】
ＳＰ−ＴＳＭサーバ１０１は、ＵＩアプリケーションに利用者に予め送付しておいた正しいアクセスコードおよびパスワードが入力されたことを確認し、利用者の認証を行い、正しく認証されたと判定すると、正しく認証されたことを示す認証情報（「認証ＯＫ」）を携帯端末に対して送信する。
【０００９】
そして、ＵＩアプリケーションは、認証情報が入力されると、ＭＮＯ−ＴＳＭサーバ１０３に対して、ＵＩＣＣ１５１に対するサービスアプリケーションの発行におけるイニシャライズを行うことを要求する。そして、ＭＮＯ−ＴＳＭサーバ１０３は、サービスアプリケーションをインストールする領域をＵＩＣＣ１５１内に確保し、確保した領域にサービスアプリケーションをインストールすることで、ＵＩＣＣ１５１に対するイニシャライズを行う。イニシャライズが終了した後、ＭＮＯ−ＴＳＭサーバ１０３が、携帯端末１０５に対してイニシャライズが終了したことを示す発行レスポンスを出力する。
【００１０】
ＵＩアプリケーションは、発行レスポンスを受信すると、ＵＩＣＣ１５１の識別情報及びサービスプロバイダの識別情報を付加し、パーソナライズの要求をＳＰ−ＴＳＭサーバ１０１に送信する。
【００１１】
これにより、ＳＰ−ＴＳＭサーバ１０１は、携帯端末１０５のサービスアプリケーションに対して発行データの発行を行い、携帯端末１０５にインストールされているサービスアプリケーションを活性化する。この発行データは、携帯端末１０５のＵＩＣＣ１５１にインストールされた所定のＩＣカードをエミュレートするサービスアプリケーションを、所有者に対応して使用可能とする（サービスアプリケーションの活性化を行う）ためのデータである。
【００１２】
そして、サービスアプリケーションは、ＵＩアプリケーションを介して、ＳＰ−ＴＳＭサーバ１０１に対して正常にサービスアプリケーションが活性化（パーソナライズ）されたことを示すパーソナライズ完了通知を出力する。そして、ＳＰ−ＴＳＭサーバ１０１は、サービスアプリケーションのパーソナライズが正常に終了したことを検出し、携帯端末１０５に対してパーソナライズレスポンスを出力する。このとき、ＳＰ−ＴＳＭサーバ１０１は、内部のアクセスコードと発行状態を示す発行ステータスとが対応付けられたアプリケーション発行テーブルにおいて、発行ステータスを未発行から発行済に変更する。
【００１３】
発行が完了するとサービスを利用できる状態となる。しかしながら上記従来の方法では、サービス発行のためにＳＰ−ＴＳＭサーバシステム等を構築してインターネット上で管理運用を常時行う必要があり、サービスを提供事業者にとっては大きな負担となっていた。またインターネット上での個人データなどの情報のやり取りを行う必要があり、情報の漏洩の虞などの問題もあった。そのため、より簡易的で安全性の高い発行システムまたは発行方法の実現が望まれていた。
【先行技術文献】
【特許文献】
【００１４】
【特許文献１】特開２００４−１９３７２２号公報
【発明の概要】
【発明が解決しようとする課題】
【００１５】
本発明は、以上のような従来技術に鑑みなされたもので、スマートフォン等の携帯端末にサービスを発行する際に、サーバとのインターネットを介した情報の授受を不要として発行のための大規模なサーバシステムを構築する必要がなく、情報漏洩の虞もないサービスアプリケーション発行システムおよびサービスアプリケーション発行方法を提供することを課題とする。
【課題を解決するための手段】
【００１６】
上記課題を解決するため、本発明の請求項１に係る発明は、
カメラ部とＮＦＣ部を有する携帯端末と、前記携帯端末にインストールされており、利用者が選択したＩＣカードの動作をエミュレートするサービスアプリケーションを前記携帯端末にインストールするインストーラと、前記ＩＣカードを含み、前記ＩＣカードは非接触通信機能を有し、
前記カメラ部で前記ＩＣカードを撮像することで前記ＩＣカードの外側面に記載された利用者に関する情報を取得し、
前記ＮＦＣ部の非接触Ｒ／Ｗ機能により、前記ＩＣカードから、前記サービスアプリケーションを活性化する前記サービスアプリケーションの発行データを取得し、
取得した前記各情報を前記インストーラに供給して前記サービスアプリケーションを活性化することを特徴とするサービスアプリケーション発行システムである。
【００１７】
また、本発明の請求項２に係る発明は、
カメラ部とＮＦＣ部を有する携帯端末にインストールされたインストーラが、利用者の選択した非接触通信機能を有するＩＣカードの動作をエミュレートするサービスアプリケーションを前記携帯端末にインストールする過程と、
前記携帯端末のカメラ部により、前記ＩＣカードの外側面に記載された利用者に関する情報を撮像し、撮像した画像データを前記携帯端末に保存すると共に前記画像データから利用者に関する情報を取得する過程と、
前記携帯端末のＮＦＣ部の非接触Ｒ／Ｗ機能により、前記ＩＣカードから、前記携帯端末にインストールされた前記サービスアプリケーションを活性化する前記サービスアプリケーションの発行データを取得する過程と、
前記ＩＣカードから取得した前記発行データを、オンライン決済に対応するように修正する過程と、
を含み、
前記インストーラが、前記ＩＣカードから取得した前記各情報を利用して、前記サービスアプリケーションを活性化することを特徴とするサービスアプリケーション発行方法である。
【００１８】
また、本発明の請求項３に係る発明は、
オンライン決済に必要な情報を、前記ＩＣカード以外の媒体を前記携帯端末のカメラ機能により撮像して取得する過程をさらに有することを特徴とする請求項２に記載のサービスアプリケーション発行方法である。
【発明の効果】
【００１９】
本発明によれば、利用者が指定するＩＣカードの動作をエミュレートするためのサービスアプリケーションを携帯端末に発行する際に、前記ＩＣカードの外側面に記載された利
用者に関する情報、およびサービスアプリケーションを活性化する発行データを、携帯端末のカメラ部の撮像機能およびＮＦＣ部によるＲ／Ｗ機能を利用して、直接前記ＩＣカードから取得してサービスアプリケーションを活性化することでサービスアプリケーションの発行を行うことができ、発行のために大規模なサーバシステムを要せず、サーバシステムとのインターネットを介した情報のやり取りの過程で情報が漏洩する虞がないサービスアプリケーション発行システムおよびサービスアプリケーション発行方法を提供できる。
【図面の簡単な説明】
【００２０】
【図１】本発明の一実施形態によるサービスアプリケーション発行システムの構成例を示す概略ブロック図である。
【図２】本発明の一実施形態のサービスアプリケーションの発行方法にかかる動作例を示すシーケンス図である。
【図３】従来のサービスアプリケーション発行システムの構成例を示す概略ブロック図である。
【図４】従来のサービスアプリケーションの発行方法にかかる動作例を示すシーケンス図である。
【発明を実施するための形態】
【００２１】
以下、本発明の実施の形態を詳細に説明する。
【００２２】
図１は、本発明の一実施形態によるサービスアプリケーション発行システムの構成例を示す概略ブロック図である。図１において、サービスアプリケーション発行システムは、携帯端末１、配信サービスサーバ２、非接触ＩＣカード３を備えている。
【００２３】
携帯端末１は、利用者の各々が保持する端末であり、例えば携帯電話、スマートフォンあるいはタブレット端末などである。また、携帯端末１は、ＵＩＣＣ１１、記憶部１２、制御部１３、カメラ部１４およびＮＦＣ部１５の各々を備えている。
【００２４】
ＵＩＣＣ１１は、固有の識別情報を有するＩＣカードであり、内部に自身の固有の識別情報、携帯端末１の加入者情報（携帯端末が携帯電話であれば電話番号など）が記憶されている。この固有の識別情報は、ＵＩＣＣ１１を識別する識別情報であり、例えばＵＩＣＣ１１がＳＩＭカードであれば、ＩＭＳＩ(Ｉｎｔｅｒｎａｔｉｏｎａｌ  Ｍｏｂｉｌｅ
Ｓｕｂｓｃｒｉｂｅｒ  Ｉｄｅｎｔｉｔｙ)である。また、ＵＩＣＣ１１には、ＵＩアプリケーションにより、利用者が選択した非接触ＩＣカード３のサービスの動作をエミュレートするサービスアプリケーションがインストールされる。そして、ＵＩＣＣ１１は、ＣＰＵ及びメモリを備えており、サービスアプリケーションにより、非接触ＩＣカード３のエミュレートを行う。またＵＩＣＣ１１は内部の領域を区画して複数のサービスアプリケーションを別の非接触ＩＣカード等からインストールすることができる。
【００２５】
記憶部１２は、不揮発性のメモリで構成される記憶部であり、ＵＩアプリケーションなどがインストールされる。また、このＵＩアプリケーションは、記憶部１２でなく、携帯端末１の内部メモリにインストールされても良い。
制御部１３は、図示しない無線基地局及びインターネット１００を用いて外部装置とのデータの送受信を行い、記憶部１２に対してデータの書き込みなどの処理を行う。また、制御部１３は、ＮＦＣ部１５を制御してＮＦＣでの近距離無線通信を用いた送受信を実行させ、Ｒ／Ｗ機器とのデータの送受信を、ＩＣカードと同様に行わせる。また画像認識機能を有してカメラ部１４で撮像された画像データから所定の情報を認識して抽出することができる。
【００２６】
カメラ部１４は、非接触ＩＣカード３の外側面を撮像することができる。撮像された画
像データは記憶部１２に格納され、制御部１３において前記画像データから非接触ＩＣカード３の外側面に記載されている利用者の情報を認識して抽出し、これをＵＩアプリケーションに提供できる。なお外側面とは非接触ＩＣカード３のおもて面、裏面のいずれかまたはその両方を指す。
【００２７】
ＮＦＣ機能部１５は、ＮＦＣによる外部機器との非接触Ｒ／Ｗ機能を有しており、非接触ＩＣカード３とデータの送受信を行うことができる。ＮＦＣは非接触ＩＣカードインターフェースの規格としてＩＳＯに規定された近距離無線通信技術である。ＮＦＣにより携帯端末１は、クレジットカードや電子マネー、交通チケットなどのカードの機能をエミュレートすることが可能となる。また、非接触Ｒ／Ｗとして利用することができ、非接触ＩＣカードやＩＣタグにかざすことでデータの参照や書き換えを行うことができる。従って非接触ＩＣカード３に格納されているサービスアプリケーションの発行データを読み込むことができ、これをＵＩアプリケーションに提供できる。
【００２８】
発行データとは、サービスアプリケーションを活性化させる（パーソナライズする）ためのデータであり、ＩＣカードのサービスに対応したサービスアプリケーションに与えられる利用者個々の決済ブランド毎における会員番号（ＰＡＮ：Ｐｒｉｍａｒｙ  Ａｃｃｏｕｎｔ  Ｎｕｍｂｅｒ）、発行されたＩＣカードの使用可能な期間である有効期間、利用者の名前、利用者の署名情報などを含む情報であるが、これ以外の情報を追加することもできる。
【００２９】
配信サービスサーバ２は、配信要求を行った携帯端末１に対して、サービスアプリケーションおよびＵＩアプリケーションの配信を行う。配信サービスサーバ２は、携帯端末向けにデジタルコンテンツ（アプリケーション・映画・音楽・書籍など）の配信サービスを行うサーバであり、例えばＧｏｏｇｌｅＰｌａｙ（登録商標）などに設けられたサーバである。
【００３０】
非接触ＩＣカード３は、電子マネーなどのサービスを提供する会社（Ａ社〜Ｚ社）に利用者が当該サービスの利用を申請することにより送付されるもので、サービスの発行に必要な情報を格納しているとともに、表面または裏面または両面に、利用者に関する情報が記載されている。利用者に関する情報とは、例えば、氏名３２、会員番号３１、セキュリティコード３３などが例示できるが、これに限定されない。
【００３１】
Ａ社サービスセンター４＿ＡからＺ社サービスセンター４＿Ｚの各々は、それぞれ携帯端末１により利用可能なサービスを提供する会社のサービスセンターである。利用者から所定のＩＣカードのサービスの利用を受けたいとする申請がなされると、利用者個々を識別するアクセスコードと、利用者毎に異なるパスワードと、サービスの発行に関する情報を格納した非接触ＩＣカード３を郵送などにより、利用者宅に送付する。ここで、Ａ社サービスセンター４＿ＡからＺ社サービスセンター４＿Ｚの各々は、アクセスコード及びパスワードの供給を、非接触ＩＣカード３の郵送に加えてインターネット１００を介した電子メールにより行っても良い。この供給されるアクセスコードには、例えば、利用者を識別する利用者識別情報、サービスアプリケーションを識別するサービスアプリケーション識別情報などが含まれている。また。利用者は申請する際、自身の署名情報を登録することができる。署名情報としては、サイン等があげられ、サインを撮像手段により撮影し、署名画像データとして申込み情報と共に申請してもよいし、サイン済みの申込み用紙を送付してサービスセンターでデータ化してもよい。
【００３２】
また、Ａ社からＺ社の各々は、利用者からＩＣカードの利用の申請があると、図示しない利用者データベースのサービスアプリケーション発行テーブルに対して、新たなレコードを生成し、ＩＣＣＩＤ、アクセスコード、パスワード、ＳＰコード、サービスコード、
名前、署名情報等を書き込んで記憶させる。この際、利用者データベースのサービスアプリケーション発行テーブルに記載された名前以外の会員番号及び有効期限の発行データを生成し、サービスアプリケーション発行テーブルに書き込んで、利用者のサービスアプリケーションの発行状態の管理を行う。
【００３３】
図２は、本実施形態におけるサービスアプリケーションのカード発行でのサービスアプリケーション発行システムの動作例を示すシーケンス図である。なお図２のシーケンスによる処理の前に、利用者は受けたいサービス会社（Ａ社からＺ社）に対し、サービスの申請を行っており、利用者は郵送や電子メールなどにより、サービスの発行に関する情報を記録した非接触ＩＣカード３と、非接触ＩＣカード３と携帯端末１の通信に必要なアクセスコード、ＰＩＮ番号及びパスワードなどを、各サービス会社から受領している。また配信サービスサーバ２からＵＩアプリケーション（図中には簡易化のためＵＩアプリと記している）の配信を受け、携帯端末１の記憶部１２または内蔵メモリにインストールしている。
【００３４】
シーケンスＦ１：
利用者は携帯端末１においてＵＩアプリケーションを起動させ、携帯端末１の図示しない表示画面に表示されるサービスのアイコンのなかから、すでに入手済みの非接触ＩＣカード３のサービスのアイコンを選択する。
これにより、ＵＩアプリケーションは、利用者が正規の利用者であることを認証するためにアクセスコード、パスワードなどを入力する画面を携帯端末１の画面に表示する。
利用者がこれらを入力し、ＵＩアプリケーションが正規の利用者であることを認証すると、ＵＩアプリケーションは、利用者に送付済みの非接触ＩＣカード３の外側面に記載された利用者の情報、例えば、氏名、ＰＡＮ（Ｐｅｒｓｏｎａｌ  Ａｃｃｏｕｎｔ  Ｎｕｍｂｅｒ）、セキュリティコードなどの撮像を促す画面を携帯端末１に表示する。
【００３５】
シーケンスＦ２：
利用者は携帯端末１のカメラ部１４を起動し、非接触ＩＣカード３のおもて面を撮像する。撮像された画像データは携帯端末１の記憶部１２に格納されると共に、制御部１３での画像認識により利用者の情報、例えば氏名、ＰＡＮを抽出し、ＵＩアプリケーションに提供する。
【００３６】
シーケンスＦ３：
続いて、カメラ部１４で、非接触ＩＣカード３の裏面を撮像する。撮像された画像データは表面の画像データと同様に携帯端末１の記憶部１２に格納されると共に、制御部１３での画像認識により利用者の情報、例えばセキュリティコードを抽出し、ＵＩアプリケーションに提供する。
【００３７】
シーケンスＦ４：
続いて、ＵＩアプリケーションは携帯端末１で非接触ＩＣカード３をエミュレートするために、サービスアプリケーションを活性化するサービスアプリケーションの発行データを非接触ＩＣカード３から取得するための認証プロセスを実行する。
そして利用者は、携帯端末１を非接触ＩＣカード３にかざし、ＮＦＣ部のＲ／Ｗ機能を利用することにより、ＵＩアプリケーションが非接触ＩＣカード３にＰＩＮ（Ｐｅｒｓｏｎａｌ  Ｉｄｅｎｔｉｆｉｃａｔｉｏｎ  Ｎｕｍｂｅｒ）を送付し、撮像された画像データから抽出された氏名、ＰＡＮなどの情報と照合させ、照合が取れれば非接触ＩＣカード３からは「認証ＯＫ」のレスポンスがＵＩアプリケーションに返される。
【００３８】
シーケンスＦ５：
認証が得られたら、引き続いて携帯端末１でサービスアプリケーションを活性化するため
のサービスアプリケーションの発行データを非接触ＩＣカード３から取得し、ＵＩアプリケーションに提供する。なお取引にはオンライン決済とオフライン決済が存在するが、オンライン決済に必要となる情報のみ取得する。
【００３９】
シーケンスＦ６：
取得したサービスアプリケーションを活性化するためのサービスアプリケーションの発行データを利用して、携帯端末１でオンライン決済、オンラインＰＩＮ認証が可能となるように、パラメータの修正をＵＩアプリケーションで行う。
【００４０】
シーケンスＦ７：
さらに必要であれば、非接触ＩＣカード３以外の媒体から情報を取得することができ、例えば書面上に二次元コードの態様で表示された情報を、カメラ部１４の機能を用いて取得することができる。
【００４１】
以上のようにしてサービスアプリケーションが活性化されることにより、携帯端末１で非接触ＩＣカード３の機能をエミュレーションすることが可能となる。
【００４２】
以上説明したように、本発明の携帯端末へのサービスアプリケーション発行システムおよびサービスアプリケーション発行方法によれば、希望のサービスアプリケーションに対応した非接触ＩＣカードから、非接触ＩＣカードを携帯端末でエミュレートするのに必要な情報を、携帯端末で非接触ＩＣカードから直接取得して当該サービスアプリケーションを活性化するため、大規模なサーバシステムが不要で、インターネットでの個人情報の漏洩の虞のないサービスアプリケーション発行システムおよびサービスアプリケーション発行方法を提供できる。
【符号の説明】
【００４３】
１・・・携帯端末
１１・・・ＵＩＣＣ
１２・・・記憶部
１３・・・制御部
１４・・・カメラ部
１５・・・ＮＦＣ部
２・・・配信サービスサーバ
３・・・非接触ＩＣカード
３１・・・ＰＡＮ
３２・・・氏名
３３・・・セキュリティコード
４＿Ａ・・・Ａ社サービスセンター
４＿Ｚ・・・Ｚ社サービスセンター
１００・・・インターネット
【図１】
2019079293.tif 000003
【図２】
2019079293.tif 000004
【図３】
2019079293.tif 000005
【図４】
2019079293.tif 000006